(57)【要約】      （修正有）【課題】キャスターの組立作業や分解作業をワンタッチで簡単に行うことができる台車を提供する。【解決手段】台車を構成する台盤の下面に一組の取付け部１０２、１０３を介してキャスター２００を備え、当該キャスター２００を構成する座板２０１の中央部に車輪支持脚を連結した台車において、前記取付け部１０２、１０３の上部前端は前記座板２０１の一端側２０５を挿入する固定端部１０４を有し、前記取付け部１０２、１０３の上部後端は当該座板２０１の他端側２０７を載置する自由端部１０５を有し、前記取付け部の後側壁面１０３ａにワンタッチで着脱する着脱具を有し、組立時、前記中央壁面部の断面爪部を前記取付け部１０２、１０３の下部開口部１０６の下部開口端縁１０７と係合し、分解時、前記舌片状壁面部を取付け部１０２、１０３の後側壁面方向に押すことで係合した断面爪部を解除するようにした。【選択図】図３
2017094904.tif 000002
【特許請求の範囲】
【請求項１】
台車を構成する台盤の下面に一組の取付け部を介してキャスターを備え、当該キャスターを構成する座板の中央部に車輪支持脚を連結して備え、その車輪支持脚に車輪が回転可能に保持された構造からなる台車において、
前記取付け部の上部前端は前記座板の一端側を挿入する固定端部を有し、
前記取付け部の上部後端は当該座板の他端側を載置する自由端部を有し、
前記取付け部の後側壁面にワンタッチで着脱する着脱具を有し、
前記着脱具は、前側に出っ張った水平部から下側方向に延びる一組の円筒部と、
前記水平部の後端部から前記円筒部と並行にかつ前記円筒部に比して長く下側方向に延び、その延長端縁部に前記円筒部側に折れ曲がった爪断面部が設けられた中央壁面部と、
前記延長端縁部から前記円筒部側と反対方向に略Ｖ字状に延びる舌片壁面部とを備え、
組立時、前記円筒部を前記座板に設けられた穴から前記取付け部に設けられた穴に嵌め入れ、前記中央壁面部の断面爪部を前記取付け壁面に当てながら前記取付け部の下部開口端縁と係合し、
分解時、前記舌片状壁面部を取付け部の後側壁面方向に押すことで前記取付け部の下部開口部の下部開口部に係合した断面爪部を解除するようにした台車。
【発明の詳細な説明】
【技術分野】
【０００１】
本発明は、下面にキャスターを取り付けるのに当たり、従来のものと比べて部品点数が少なく、組立作業や分解作業をワンタッチできわめて簡単に行うことができる台車に関する。
【背景技術】
【０００２】
従来からこの種の台車は、下面にキャスターを取り付けるのに当たっては、ボルトやねじによって取り付ける構造のもの、あるいはスライド受容部にキャスターの座板をスライドして取り付けるもの（特許文献１）、荷台ブロック同士が連結フレームを介して連結され、当該荷台ブロックにキャスターを固定するもの（特許文献２）など、各種提案されている。
【先行技術文献】
【特許文献】
【０００３】
【特許文献１】特開２００６−０６２４２９
【特許文献２】特開２００８−１２０２８２
【発明の概要】
【発明が解決しようとする課題】
【０００４】
しかしボルトやねじによってキャスターを取り付ける構造の台車は、ボルト穴やねじ穴を開けなければならず、開いたボルト穴やねじ穴にキャスターの座板のねじ穴やボルト穴に一致させた状態でボルト締めやねじ締めをしなければならず、台車を製造するに当たってきわめて煩雑である。
この点、特許文献１及び２は、スライド受容部にキャスターの座板をスライドするだけなので、簡単な操作性を有するが、台車の下面の取付構造はキャスターの座板をスライドするにあたってきわめて複雑な構造からなっている。またこのスライド構造は台車の進行方向と平行になっているため、荷重のあるものを積載した場合に不安定である。
この発明の目的は、下面にキャスターを取り付けるのに当たり、従来のものと比べて部品点数が少なく、組立作業や分解作業をワンタッチできわめて簡単に行うことができる安定した台車を提供するところにある。
【課題を解決するための手段】
【０００５】
前記課題を解決するため、
本発明は、台車を構成する台盤の下面に一組の取付け部を介してキャスターを備え、当該キャスターを構成する座板の中央部に車輪支持脚を連結して備え、その車輪支持脚に車輪が回転可能に保持された構造からなる台車において、
前記取付け部の上部前端は前記座板の一端側を挿入する固定溝を有し、
前記取付け部の上部後端は当該座板の他端側を載置する自由端部を有し、
前記取付け部の後側壁面にワンタッチで着脱する着脱具を有し、
前記着脱具は、前側に出っ張った水平部から下側方向に延びる一組の円筒部と、
前記水平部の後端部から前記円筒部と並行にかつ前記円筒部に比して長く下側方向に延び、その延長端縁部に前記円筒部側に折れ曲がった断面爪部が設けられた中央壁面部と、
前記延長端縁部から前記円筒部側と反対方向に略Ｖ字状に延びる舌片壁面部とを備え、
組立時、前記円筒部を前記座板に設けられた穴から前記取付け部に設けられた貫通穴に嵌め入れ、前記中央壁面部の断面爪部を前記取付け壁面に当てながら前記取付け部の下部開口端縁と係合し、
分解時、前記舌片部を取付け部の後側壁面方向に押すことで前記取付け部の下部開口部に係合した断面爪部を解除することを特徴とする台車を採用した。
【発明の効果】
【０００６】
従って、キャスターを組み立てる際には、まず前記固定端部に前記キャスターの座板の一端側を挿入して座板を固定し、その後反対側の前記自由端部に当該座板の他端側を載置し、しかる後、着脱具の円筒部を、前記座板に設けられた穴から前記取付け部に設けられた穴に嵌め入れ、前記中央壁面部の断面爪部を前記取付け壁面に当てながら前記取付け部の下部開口端縁と係合するだけで、簡単に取り付けられる。
また分解時、前記舌片部を取付け部の後側壁面方向に押すことで前記取付け部の下部開口部に係合した爪断面部を解除することができ、しかる後自由端部に載置した座板から、固定端部の挿入を解放すれば、簡単に解除することができる。
【０００７】
よって、従来のごとく、台車を構成する台盤の下面の取付け部に、座板の取付方向からボルト又はねじの通し孔を穿設し、続いて台盤にボルト又はねじの通し穴を設け、これらの通し穴にボルト又はねじを締結する必要がない。また従来のごとく、キャスターの座板をスライドする構造でないため複雑で不安定な構造をとる必要がない。また着脱具の円筒部を、前記座板に設けられた穴から前記取付け部に設けられた穴に嵌め入れ、前記中央壁面部の断面爪部を前記取付け壁面に当てながら前記取付け部の下部開口部の下部開口端縁と係合するだけで、組立作業又は分解作業をワンタッチできわめて簡単にすることができ、取り付け取外しがきわめて簡単に得られる。
【図面の簡単な説明】
【０００８】
【図１】図１は本発明の一実施形態を示す斜視図である。
【図２】図２は同底面側の斜視図である。
【図３】図３は座板の一端側を挿入し固定溝に固定され、着脱具を取り付けていない状態を示す同要部拡大底面図である。
【図４】図４‐１は本発明に係る着脱具の斜視図である。図４‐２は同正面図である。図４‐３は同平面図である。図４‐４は同底面図である。図４‐５は同右側面図である。図４‐６は同左側面図である。図４‐７は同背面図である。
【図５】図５は着脱具を取り付けた組立完成後の同要部拡大底面図である。
【図６】図６は同要部拡大縦断面概略図である。
【図７】図７は同要部拡大横断面概略図である。
【発明を実施するための形態】
【０００９】
この発明は本実施形態に限定されるものではない。
本実施形態の台車１は、図１〜図３に示すように、台盤１００の下面１０１に複数のキャスター２００を備えている。キャスター２００は、座板２０１の下面中央２０２に車輪支持脚２０３を連結して備え、その車輪支持脚２０３に車輪２０４が回転可能に保持された構造になっている。
【００１０】
台盤１００は、合成樹脂の射出成形品で、平面形状が長方形である。台盤１００のうち荷物が載置される部分には、裏面に補強用のリブ２０５が網の目状に張り巡らされている。
【００１１】
１０２、１０３は台盤１００の下面１０１に補強用のリブとしてそれぞれ設けられたキャスター２００の取付け部である。この一方の取付け部１０２は前記キャスター２００の座板２０１の一端側２０５を挿入する固定溝１０４を有している。この固定溝１０４は座板２０１の一端側２０５を挿入するだけでその端縁部２０５ａにあたりそれ以上すすまない構造となっている。すなわち前記取付け部１０２の上部前端の端縁部２０５aは前記座板２０１の一端側２０５を挿入する固定溝 １０４を有している。
【００１２】
他方の取付け部１０３は当該座板２０１の他端側２０７を載置する自由端部１０５を有している。この自由端部１０５は、一旦固定溝１０４に一端側２０５を挿入し固定した座板２０１を、反対側で固定するために、図７に示す様に前記座板２０１の穴２０８と取付け部１０３の穴２０９が設けられている。従って、組立時又は分解時、この台車１は前記取付け部１０３の後側壁面２１０にワンタッチで着脱する着脱具３００を有していることから、極めて操作性に富んでいる。なお、図３において、１０６は下部開口部であり、１０７は下部開口端縁である。
【００１３】
前記着脱具３００は、図４‐１に示す様に、前側に出っ張った水平部３００ａから下側方向に延びる一組の円筒部３０１、３０２と、前記水平部３００ａの後端部から前記円筒部３０１、３０２と並行にかつ前記円筒部３０１、３０２に比して長く下側方向に延び、その延長端縁部３０３に前記円筒部側に折れ曲がった断面爪部３０４が設けられた中央壁面部３０５と、前記延長端縁部３０３から前記円筒部３０１、３０２側と反対方向に略Ｖ字状に延びる舌片状壁面部３０６とを備えている。
【００１４】
すなわち、組立時、前記固定端部１０４に前記キャスター２００の座板２０１の一端側２０５を固定し、前記自由端部１０５に当該座板２０１の他端側２０７を載置し、図７に示す様に、前記円筒部３０１、３０２を前記座板２０１に設けられた穴２０８から前記取付け部１０３に設けられた穴２０９に嵌め入れ、図４において、前記中央壁面部３０５の断面爪部３０４を前記取付け壁面１０３ａに当てながら前記取付け部１０３の下部開口部１０６の下部開口端縁１０７と係合すれば、ワンタッチできわめて簡単に固定できる。また分解時、前記着脱具３００の前記舌片状壁面部３０６を取付け部１０３の後側壁面２１０方向に押すことで前記取付け部１０３の下部開口部１０６の開口端縁１０７に係合した断面爪部３０４を解除することができ、ワンタッチできわめて簡単に解放できる。
【００１５】
よって、従来のごとく、台車を構成する台盤の下面の取付け部に、座板の取付方向からボルト又はねじの通し孔を穿設し、続いて台盤にボルト又はねじの通し穴を設け、これらの通し穴にボルト又はねじを締結する必要がない。また従来のごとく、キャスターの座板をスライドする構造でないため複雑で不安定な構造をとる必要がない。また着脱具３００でワンタッチできわめて簡単に取り付けられる。
【００１６】
なお、本件発明は上記の実施態様に限定されるものでない。例えば上記例は後部側に一組の同一の取付構造を有しているが、前部又は全部のキャスターに本件発明の取付構造を採用することができる。また前記着脱部の円筒部３０１、３０２は、形状を四角柱若しくは三角柱など円筒形以外の形状にすることができ、その場合、本体の受け手側の取付け部１０３の穴２０９と座板２０１の穴２０８も同様の形状にする必要がある。いずれにせよ本発明は前記の実施態様に限定されるものでない。
【符号の説明】
【００１７】
１              台車
１００          台盤
１０１          下面
１０２          取付け部
１０３          取付け部
１０４          固定端部
１０５          自由端部
１０６          下部開口部
１０７          下部開口端縁
２００          キャスター
２０１          座板
２０５          一端側
２０７          他端側
２０８          穴
２０９          穴
３００          着脱具
３００ａ        水平部
３０１          円筒部
３０２          円筒部
３０３          延長端縁部
３０４          断面爪部
３０５          中央壁面部
３０６          舌片状壁面部
【図１】
2017094904.tif 000003
【図２】
2017094904.tif 000004
【図３】
2017094904.tif 000005
【図４−１】
2017094904.tif 000006
【図４−２】
2017094904.tif 000007
【図４−３】
2017094904.tif 000008
【図４−４】
2017094904.tif 000009
【図４−５】
2017094904.tif 000010
【図４−６】
2017094904.tif 000011
【図４−７】
2017094904.tif 000012
【図５】
2017094904.tif 000013
【図６】
2017094904.tif 000014
【図７】
2017094904.tif 000015